(57)【要約】      （修正有）【課題】電子ペーパーに記録される画像の画質を向上させる装置の提供。【解決手段】潜像を担持する像担持体と、トナー像として可視化する現像部と、前記像担持体と対向部材との間に電界を形成する電界形成部とを有する複数の記録部と、着色帯電粒子が厚み方向に移動することにより画像を表示する電子ペーパー、又は、非電子ペーパーを搬送する記録装置で、非電子ペーパーへ転写させる動作を、複数の記録部を順次行なわせることにより、カラー画像を形成する非電子ペーパーへの画像記録処理と、搬送された前記電子ペーパーの着色帯電粒子を前記厚み方向に移動させる動作を、複数の記録部のうちの電子ペーパーが最後に通過する最後記録部に行なわせることにより、潜像に対応する画像を電子ペーパーに表示させる電子ペーパーへの画像記録処理と、を選択的に実行するコントローラーと、を有することを特徴とする。【選択図】図５
2012018294.tif 000002
【特許請求の範囲】
【請求項１】
潜像を担持する像担持体と、前記潜像を着色帯電トナーによりトナー像として可視化す
る現像部と、前記像担持体と対向する対向部材と、前記像担持体と前記対向部材との間に
電界を形成する電界形成部と、を有する複数の記録部と、
着色帯電粒子を有し該着色帯電粒子が厚み方向に移動することにより画像を表示する電
子ペーパー、又は、非電子ペーパーが、前記複数の記録部の各々の前記間を順に通過する
ように該電子ペーパー又は該非電子ペーパーを搬送する搬送部と、
前記現像部が前記潜像を前記トナー像として可視化し、かつ、前記電界形成部が前記電
界を前記間に形成して、前記トナー像を、前記像担持体から、前記搬送部により搬送され
た前記非電子ペーパーへ転写させる動作を、前記複数の記録部の各々に順次行なわせるこ
とにより、カラー画像を形成する非電子ペーパーへの画像記録処理と、
前記電界形成部が前記電界を前記間に形成して、前記搬送部により搬送された前記電子
ペーパーの着色帯電粒子を前記厚み方向に移動させる動作を、前記複数の記録部のうちの
前記電子ペーパーが最も後に通過する最後記録部に行なわせることにより、前記潜像に対
応する画像を前記電子ペーパーに表示させる電子ペーパーへの画像記録処理と、
を選択的に実行するコントローラーと、
を有することを特徴とする画像記録装置。
【請求項２】
請求項１に記載の画像記録装置において、
前記コントローラーは、前記電子ペーパーへの画像記録処理を実行する際に、
前記像担持体に付着した前記着色帯電トナーを前記像担持体に留まらせる電界方向を有
する前記電界を前記電界形成部が前記間に形成する動作を、前記複数の記録部のうちの前
記最後記録部以外の記録部に行なわせることを特徴とする画像記録装置。
【請求項３】
請求項２に記載の画像記録装置において、
前記非電子ペーパーへの画像記録処理は、黒色トナー像を前記非電子ペーパーへ転写さ
せる動作を前記最後記録部に行なわせ、他色トナー像を前記非電子ペーパーへ転写させる
動作を前記最後記録部以外の記録部に行なわせることにより、カラー画像を形成する処理
であり、
前記電子ペーパーへの画像記録処理は、前記潜像に対応する白黒画像を前記電子ペーパ
ーに表示させる処理であることを特徴とする画像記録装置。
【請求項４】
潜像を担持する像担持体と、前記潜像を着色帯電トナーによりトナー像として可視化す
る現像部と、前記像担持体と対向する対向部材と、前記像担持体と前記対向部材との間に
電界を形成する電界形成部と、を有する複数の記録部と、
着色帯電粒子を有し該着色帯電粒子が厚み方向に移動することにより画像を表示する電
子ペーパー、又は、非電子ペーパーが、前記複数の記録部の各々の前記間を順に通過する
ように該電子ペーパー又は該非電子ペーパーを搬送する搬送部と、を備える画像記録装置
を準備することと、
前記現像部が前記潜像を前記トナー像として可視化し、かつ、前記電界形成部が前記電
界を前記間に形成して、前記トナー像を、前記像担持体から、前記搬送部により搬送され
た前記非電子ペーパーへ転写させる動作を、前記複数の記録部の各々に順次行なわせるこ
とにより、カラー画像を形成する非電子ペーパーへの画像記録処理と、
前記電界形成部が前記電界を前記間に形成して、前記搬送部により搬送された前記電子
ペーパーの着色帯電粒子を前記厚み方向に移動させる動作を、前記複数の記録部のうちの
前記電子ペーパーが最も後に通過する最後記録部に行なわせることにより、前記潜像に対
応する画像を前記電子ペーパーに表示させる電子ペーパーへの画像記録処理と、
を選択的に実行することと、
を有することを特徴とする画像記録方法。
【発明の詳細な説明】
【技術分野】
【０００１】
本発明は、画像記録装置、及び、画像記録方法に関する。
【背景技術】
【０００２】
着色帯電粒子を有し該着色帯電粒子が厚み方向に移動することにより画像を表示する電
子ペーパーと紙等の非電子ペーパーとに選択的に画像を記録できる画像記録装置は既に知
られている。
【０００３】
かかる画像記録装置の中には、潜像を担持する像担持体と、前記潜像を着色帯電トナー
によりトナー像として可視化する現像部と、前記像担持体と対向する対向部材と、前記像
担持体と前記対向部材との間に電界を形成する電界形成部と、を有する複数の記録部と、
電子ペーパー、又は、非電子ペーパーが、前記複数の記録部の各々の前記間を順に通過す
るように該電子ペーパー又は該非電子ペーパーを搬送する搬送部と、を備えているものが
ある。
【０００４】
そして、当該画像記録装置においては、非電子ペーパーに画像を記録する際に、コント
ローラーが、前記現像部が前記潜像を前記トナー像として可視化し、かつ、前記電界形成
部が前記電界を前記間に形成して、前記トナー像を、前記像担持体から、前記搬送部によ
り搬送された前記非電子ペーパーへ転写させる動作を、前記複数の記録部の各々に順次行
なわせることにより、カラー画像を形成する。一方、電子ペーパーに画像を記録する際に
は、前記電界形成部が前記電界を前記間に形成して、前記搬送部により搬送された前記電
子ペーパーの着色帯電粒子を前記厚み方向に移動させる動作を、前記複数の記録部のうち
の一の記録部に行なわせることにより、前記潜像に対応する画像を前記電子ペーパーに表
示させる。
【先行技術文献】
【特許文献】
【０００５】
【特許文献１】特開２００９−２５１０４８号公報
【発明の概要】
【発明が解決しようとする課題】
【０００６】
ところで、上記画像記録装置においては、前記一の記録部において電子ペーパーに画像
が適切に記録されるものの、画像記録装置から排出された電子ペーパーに記録されている
画像の画質は良好でない場合があった。
【０００７】
本発明は、かかる課題に鑑みてなされたものであり、その目的とするところは、電子ペ
ーパーに記録される画像の画質を向上させることにある。
【課題を解決するための手段】
【０００８】
主たる本発明は、潜像を担持する像担持体と、前記潜像を着色帯電トナーによりトナー
像として可視化する現像部と、前記像担持体と対向する対向部材と、前記像担持体と前記
対向部材との間に電界を形成する電界形成部と、を有する複数の記録部と、
着色帯電粒子を有し該着色帯電粒子が厚み方向に移動することにより画像を表示する電
子ペーパー、又は、非電子ペーパーが、前記複数の記録部の各々の前記間を順に通過する
ように該電子ペーパー又は該非電子ペーパーを搬送する搬送部と、
前記現像部が前記潜像を前記トナー像として可視化し、かつ、前記電界形成部が前記電
界を前記間に形成して、前記トナー像を、前記像担持体から、前記搬送部により搬送され
た前記非電子ペーパーへ転写させる動作を、前記複数の記録部の各々に順次行なわせるこ
とにより、カラー画像を形成する非電子ペーパーへの画像記録処理と、
前記電界形成部が前記電界を前記間に形成して、前記搬送部により搬送された前記電子
ペーパーの着色帯電粒子を前記厚み方向に移動させる動作を、前記複数の記録部のうちの
前記電子ペーパーが最も後に通過する最後記録部に行なわせることにより、前記潜像に対
応する画像を前記電子ペーパーに表示させる電子ペーパーへの画像記録処理と、
を選択的に実行するコントローラーと、
を有することを特徴とする画像記録装置である。  
本発明の他の特徴については、本明細書及び添付図面の記載により明らかにする。
【図面の簡単な説明】
【０００９】
【図１】電子ペーパー１００の構成を模式的に示す断面図である。
【図２】黒像部及び白像部における着色帯電粒子の様子を示した模式図である。
【図３】画像記録装置１の概略断面図である。
【図４】画像記録装置１のブロック図である。
【図５】記録モード毎に各記録部１０の役割を示した図である。
【図６】図６Ａ及び図６Ｂは、電子ペーパー記録モード実行時に、対向ローラー５２に印加される印加電圧を示した図である。
【発明を実施するための形態】
【００１０】
本明細書及び添付図面の記載により、少なくとも次のことが明らかにされる。
【００１１】
潜像を担持する像担持体と、前記潜像を着色帯電トナーによりトナー像として可視化す
る現像部と、前記像担持体と対向する対向部材と、前記像担持体と前記対向部材との間に
電界を形成する電界形成部と、を有する複数の記録部と、
着色帯電粒子を有し該着色帯電粒子が厚み方向に移動することにより画像を表示する電
子ペーパー、又は、非電子ペーパーが、前記複数の記録部の各々の前記間を順に通過する
ように該電子ペーパー又は該非電子ペーパーを搬送する搬送部と、
前記現像部が前記潜像を前記トナー像として可視化し、かつ、前記電界形成部が前記電
界を前記間に形成して、前記トナー像を、前記像担持体から、前記搬送部により搬送され
た前記非電子ペーパーへ転写させる動作を、前記複数の記録部の各々に順次行なわせるこ
とにより、カラー画像を形成する非電子ペーパーへの画像記録処理と、
前記電界形成部が前記電界を前記間に形成して、前記搬送部により搬送された前記電子
ペーパーの着色帯電粒子を前記厚み方向に移動させる動作を、前記複数の記録部のうちの
前記電子ペーパーが最も後に通過する最後記録部に行なわせることにより、前記潜像に対
応する画像を前記電子ペーパーに表示させる電子ペーパーへの画像記録処理と、
を選択的に実行するコントローラーと、
を有することを特徴とする画像記録装置。  
かかる画像記録装置によれば、電子ペーパーに記録される画像の画質を向上させること
が可能となる。
【００１２】
また、前記コントローラーは、前記電子ペーパーへの画像記録処理を実行する際に、
前記像担持体に付着した前記着色帯電トナーを前記像担持体に留まらせる電界方向を有
する前記電界を前記電界形成部が前記間に形成する動作を、前記複数の記録部のうちの前
記最後記録部以外の記録部に行なわせることとしてもよい。  
かかる場合には、電子ペーパーに記録される画像の画質をより一層向上させることが可
能となる。
【００１３】
また、前記非電子ペーパーへの画像記録処理は、黒色トナー像を前記非電子ペーパーへ
転写させる動作を前記最後記録部に行なわせ、他色トナー像を前記非電子ペーパーへ転写
させる動作を前記最後記録部以外の記録部に行なわせることにより、カラー画像を形成す
る処理であり、
前記電子ペーパーへの画像記録処理は、前記潜像に対応する白黒画像を前記電子ペーパ
ーに表示させる処理であることとしてもよい。  
かかる場合には、電子ペーパーに記録される画像の画質をより一層向上させることが可
能となる。
【００１４】
次に、潜像を担持する像担持体と、前記潜像を着色帯電トナーによりトナー像として可
視化する現像部と、前記像担持体と対向する対向部材と、前記像担持体と前記対向部材と
の間に電界を形成する電界形成部と、を有する複数の記録部と、
着色帯電粒子を有し該着色帯電粒子が厚み方向に移動することにより画像を表示する電
子ペーパー、又は、非電子ペーパーが、前記複数の記録部の各々の前記間を順に通過する
ように該電子ペーパー又は該非電子ペーパーを搬送する搬送部と、を備える画像記録装置
を準備することと、
前記現像部が前記潜像を前記トナー像として可視化し、かつ、前記電界形成部が前記電
界を前記間に形成して、前記トナー像を、前記像担持体から、前記搬送部により搬送され
た前記非電子ペーパーへ転写させる動作を、前記複数の記録部の各々に順次行なわせるこ
とにより、カラー画像を形成する非電子ペーパーへの画像記録処理と、
前記電界形成部が前記電界を前記間に形成して、前記搬送部により搬送された前記電子
ペーパーの着色帯電粒子を前記厚み方向に移動させる動作を、前記複数の記録部のうちの
前記電子ペーパーが最も後に通過する最後記録部に行なわせることにより、前記潜像に対
応する画像を前記電子ペーパーに表示させる電子ペーパーへの画像記録処理と、
を選択的に実行することと、
を有することを特徴とする画像記録方法。  
かかる画像記録方法によれば、電子ペーパーに記録される画像の画質を向上させること
が可能となる。
【００１５】
＝＝＝画像記録装置１の構成例について＝＝＝
次に、電子ペーパー１００への画像記録装置１の構成例について、説明する。  
なお、本実施の形態に係る画像記録装置１は、紙、フィルム、布等の電子的でないペー
パー（以下、非電子ペーパー２００と呼ぶ）へ４色の着色帯電トナー（本実施の形態にお
いては、負帯電トナー。以下、単に、トナーとも呼ぶ）を用いてカラー画像（当然のこと
ながら、モノクロ画像も可能）を記録する機能（所謂カラーレーザープリンターとしての
機能）のみならず、後述する電子ペーパー１００へ白黒画像を記録する機能をも備えたも
のである。
【００１６】
以下では、画像記録装置１の説明に先立って、先ず、電子ペーパー１００の構成につい
て説明する。そして、これに引き続いて、画像記録装置１の構成について説明する。
【００１７】
＜＜＜電子ペーパー１００の構成例について＞＞＞
ここでは、電子ペーパー１００の構成例について、図１及び図２を用いて説明する。図
１は、電子ペーパー１００の構成を模式的に示す断面図である。図２は、黒像部及び白像
部における着色帯電粒子の様子を示した模式図である。
【００１８】
電子ペーパー１００は、着色帯電粒子を有し、該着色帯電粒子が厚み方向に移動するこ
とにより画像を表示するものである。換言すれば、電子ペーパー１００は、着色された電
気泳動粒子の電気泳動を利用して画像の表示を行う。
【００１９】
図１に示すように、本実施の形態に係る電子ペーパー１００は、表示層１０３と、表示
層１０３の上面に設けられた上側絶縁層１４１と、表示層１０３の下面に設けられた下側
絶縁層１４２と、封止部１０７と、を備えている。
【００２０】
電子ペーパー１００では、上側絶縁層１４１が表示面１２１を構成しており、上側絶縁
層１４１を介して表示層１０３が視認されることにより、画像を認識することができるよ
うになっている（一方、下側絶縁層１４２は、表示面１２１の裏側の裏側面１２３を構成
している）。また、電子ペーパー１００は、可撓性を有するもの、有さないもののいずれ
であってもよいが、本実施の形態に係る電子ペーパー１００は、可撓性を有している。
【００２１】
表示層１０３は、着色帯電粒子の一例としての負帯電黒色粒子及び正帯電白色粒子の収
容部であるマイクロカプセル１３１とバインダ１３２とを有しており、複数のマイクロカ
プセル１３１がバインダ１３２で固定（保持）されることにより構成されている。また、
複数のマイクロカプセル１３１は、上側絶縁層１４１と下側絶縁層１４２との間に、縦横
に並列するように単層で（厚さ方向に重なることなく１個ずつ）配設されている。
【００２２】
各マイクロカプセル１３１は、殻体であるカプセル本体１３３を有しており、その内部
（内部空間）には、電気泳動分散液が充填（封入）されている。カプセル本体１３３内に
充填された電気泳動分散液は、正帯電白色粒子と負帯電黒色粒子とを液相分散媒に分散（
懸濁）してなるものである。正帯電白色粒子及び負帯電黒色粒子の液相分散媒への分散に
ついては、ペイントシェーカー法、ボールミル法、メディアミル法、超音波分散法、攪拌
分散法等のうちの１種または２種以上を組み合わせて行なうことができる。
【００２３】
正帯電白色粒子は、正に帯電する白色の電気泳動粒子であり、負帯電黒色粒子は、負に
帯電する黒色の電気泳動粒子である。このように、正帯電白色粒子と負帯電黒色粒子とを
用いることにより、電子ペーパー１００における白黒表示が可能となる。なお、本実施の
形態においては、負帯電黒色粒子の帯電量と比べて、正帯電白色粒子の帯電量が小さくな
っている（正帯電白色粒子は微帯電している）。
【００２４】
正帯電白色粒子及び負帯電黒色粒子には、それぞれ、電荷を有するものであれば、いか
なるものをも用いることができ、特に限定はされないが、顔料粒子、樹脂粒子またはこれ
らの複合粒子のうちの少なくとも１種が好適に使用される。
【００２５】
顔料粒子を構成する顔料としては、例えば、アニリンブラック、カーボンブラック、チ
タンブラック等の黒色顔料、酸化チタン、酸化アンチモン等の白色顔料等が挙げられ、こ
れらのうちの１種または２種以上を組み合わせて用いることができる。このうち、チタン
ブラックが負帯電黒色粒子として、酸化チタンが正帯電白色粒子として、好適に用いられ
る（本実施の形態においても、これらが用いられている）。
【００２６】
また、樹脂粒子を構成する樹脂材料としては、例えば、アクリル系樹脂、ウレタン系樹
脂、尿素系樹脂、エポキシ系樹脂、ポリスチレン、ポリエステル等が挙げられ、これらの
うちの１種または２種以上を組み合わせて用いることができる。
【００２７】
また、複合粒子としては、例えば、顔料粒子の表面を樹脂材料や他の顔料で被覆したも
の、樹脂粒子の表面を顔料で被覆したもの、顔料と樹脂材料とを適当な組成比で混合した
混合物で構成される粒子等が挙げられる。顔料粒子の表面を他の顔料で被覆した粒子とし
ては、例えば、酸化チタン粒子の表面を、酸化珪素や酸化アルミニウムで被覆したものを
例示することができる。
【００２８】
正帯電白色粒子及び負帯電黒色粒子については、液相分散媒中での分散性を考慮した場
合、より小さいものが好適に用いられる。具体的には、その平均粒径が、１０〜５００ｎ
ｍ程度であるのが好ましく、２０〜３００ｎｍ程度であるのがより好ましい。正帯電白色
粒子及び負帯電黒色粒子の平均粒径を前記範囲とすることにより、正帯電白色粒子と負帯
電黒色粒子の凝集や、正帯電白色粒子や負帯電黒色粒子の沈降を防止することができ、正
帯電白色粒子及び負帯電黒色粒子を液相分散媒中に分散させた状態を維持することができ
る。
【００２９】
そして、このような正帯電白色粒子及び負帯電黒色粒子がマイクロカプセル１３１内で
電子ペーパー１００の厚み方向に移動することにより、画像が表示されることとなる。
【００３０】
すなわち、詳細については後述するが、当該電子ペーパー１００における黒い像（以下
、黒像）を表示させたい部位（黒像部）においては、負帯電黒色粒子が前記厚み方向にお
ける上側絶縁層１４１（表示面１２１）側に、正帯電白色粒子が下側絶縁層１４２側に、
それぞれ移動し（図２の左図参照）、白い像（以下、白像）を表示させたい部位（白像部
）においては、正帯電白色粒子が前記厚み方向における上側絶縁層１４１（表示面１２１
）側に、負帯電黒色粒子が下側絶縁層１４２側に、それぞれ移動するように（図２の右図
参照）、粒子の移動が制御されることにより、電子ペーパー１００における白黒表示が成
される。そして、この粒子の移動制御は、前記画像記録装置１が、前記厚み方向に沿う電
界を発生させ、前者の部位においては電界の向きが下向き（上側絶縁層１４１から下側絶
縁層１４２へ向かう向き）となり（図２の左図参照）、後者の部位においては電界の向き
が上向き（下側絶縁層１４２から上側絶縁層１４１へ向かう向き）となるように（図２の
右図参照）、電界の向きを制御することによって実現されることとなる。
【００３１】
なお、正帯電白色粒子及び負帯電黒色粒子の比重は、それぞれ、液相分散媒の比重とほ
ぼ等しくなるように設定されているのが好ましい。これにより、正帯電白色粒子及び負帯
電黒色粒子は、電界の作用を受けた後においても、液相分散媒中において一定の位置に長
時間滞留することができる。
【００３２】
バインダ１３２は、例えば、上側絶縁層１４１と下側絶縁層１４２とを接合する目的、
上側絶縁層１４１と下側絶縁層１４２との間に各マイクロカプセル１３１を固定する目的
等により供給される。このバインダ１３２には、上側絶縁層１４１、下側絶縁層１４２お
よびカプセル本体１３３との親和性（密着性）に優れ、かつ、絶縁性に優れる樹脂材料が
好適に使用される。
【００３３】
表示層１０３を間に挟むように対向配置された上側絶縁層１４１及び下側絶縁層１４２
は、それぞれ、絶縁性を有するシート状（平板状）の部材で構成されている。このような
上側絶縁層１４１及び下側絶縁層１４２は、表示層１０３（マイクロカプセル１３１）を
保護する機能を有している。
【００３４】
上側絶縁層１４１は、表示面１２１を構成するために光透過性を有するもの、すなわち
、実質的に透明（無色透明、有色透明または半透明）とされる。これにより、表示面１２
１側から、表示層１０３の状態（各マイクロカプセル１３１中の正帯電白色粒子及び負帯
電黒色粒子の状態）、すなわち電子ペーパー１００に表示された画像（情報）を目視によ
り認識することができる。一方、下側絶縁層１４２については、上側絶縁層１４１のよう
な光透過性の有無は問わない（本実施の形態においては、下側絶縁層１４２は実質的に不
透明となっている）。
【００３５】
封止部１０７は、電子ペーパー１００内への水分の浸入を防止して、電子ペーパー１０
０の表示性能の劣化を抑えるためのものである。封止部１０７は、上側絶縁層１４１と下
側絶縁層１４２との間に、それらの縁部に沿うようにして設けられている。そして、この
封止部１０７により、表示層１０３が気密的に封止されている。
【００３６】
＜＜＜画像記録装置１の構成例について＞＞＞
次に、画像記録装置１の構成例について、図３及び図４を用いて説明する。図３は、画
像記録装置１の概略断面図である。図４は、画像記録装置１のブロック図である。図５は
、記録モード毎に各記録部１０の役割を示した図である。
【００３７】
なお、前述したとおり、本実施の形態に係る画像記録装置１は、電子ペーパー１００へ
画像を記録する機能と、非電子ペーパー２００へ画像を記録する機能と、を備えているが
、以下、前者を電子ペーパー記録モード、後者を非電子ペーパー記録モードと呼ぶ。
【００３８】
本実施の形態に係る画像記録装置１は、図３に示すように、４つの記録部１０（以下、
第一記録部１０ａ、第二記録部１０ｂ、第三記録部１０ｃ、第四記録部１０ｄと呼ぶ）、
搬送部の一例としての搬送ユニット６０、定着ユニット７０（図４参照）、及び、これら
を制御し画像記録装置１としての動作を司るコントローラー８０（図４参照）を有してい
る。
【００３９】
４つの記録部１０は、それぞれ、潜像を担持する像担持体の一例としての感光体２０、
帯電ローラー３２を有する帯電ユニット３０、露光ユニット４０、現像部の一例としての
現像ユニット４２、対向部材の一例としての対向ローラー５２と電界形成部の一例として
の電圧印加部５４とを有する電界生成ユニット５０、及び、クリーニングユニット５８を
備えている。
【００４０】
具体的には、第一記録部１０ａは、図３に示すように、第一感光体２０ａの回転方向に
沿って、第一帯電ローラー３２ａを有する第一帯電ユニット３０ａ、第一露光ユニット４
０ａ、第一現像ユニット４２ａ、第一対向ローラー５２ａと第一電圧印加部５４ａ（図４
参照）とを有する第一電界生成ユニット５０ａ、第一クリーニングユニット５８ａを備え
ている。
【００４１】
また、第二記録部１０ｂは、図３に示すように、第二感光体２０ｂの回転方向に沿って
、第二帯電ローラー３２ｂを有する第二帯電ユニット３０ｂ、第二露光ユニット４０ｂ、
第二現像ユニット４２ｂ、第二対向ローラー５２ｂと第二電圧印加部５４ｂ（図４参照）
とを有する第二電界生成ユニット５０ｂ、第二クリーニングユニット５８ｂを備えている
。
【００４２】
また、第三記録部１０ｃは、図３に示すように、第三感光体２０ｃの回転方向に沿って
、第三帯電ローラー３２ｃを有する第三帯電ユニット３０ｃ、第三露光ユニット４０ｃ、
第三現像ユニット４２ｃ、第三対向ローラー５２ｃと第三電圧印加部５４ｃ（図４参照）
とを有する第三電界生成ユニット５０ｃ、第三クリーニングユニット５８ｃを備えている
。
【００４３】
また、第四記録部１０ｄは、図３に示すように、第四感光体２０ｄの回転方向に沿って
、第四帯電ローラー３２ｄを有する第四帯電ユニット３０ｄ、第四露光ユニット４０ｄ、
第四現像ユニット４２ｄ、第四対向ローラー５２ｄと第四電圧印加部５４ｄ（図４参照）
とを有する第四電界生成ユニット５０ｄ、第四クリーニングユニット５８ｄを備えている
。
【００４４】
第一記録部１０ａ、第二記録部１０ｂ、第三記録部１０ｃ、第四記録部１０ｄは、所定
方向（図３において横方向）に列状に配置されている。そして、非電子ペーパー記録モー
ドが実行される際には、図５に示すように、第一記録部１０ａ、第二記録部１０ｂ、第三
記録部１０ｃ、第四記録部１０ｄは、それぞれ、この順に、イエロー（Ｙ）トナー、マゼ
ンタ（Ｍ）トナー、シアン（Ｃ）トナー、ブラック（Ｋ）トナーで記録を行なう（トナー
像を非電子ペーパー２００に転写する）。一方、電子ペーパー記録モードが実行される際
には、第四記録部１０ｄが電子ペーパー１００への記録を行い、第一記録部１０ａ、第二
記録部１０ｂ、第三記録部１０ｃは作動する（どのように作動するかについては後述する
）ものの、電子ペーパー１００への記録は行なわない。
【００４５】
なお、第一記録部１０ａ、第二記録部１０ｂ、第三記録部１０ｃ、第四記録部１０ｄの
構成は概ね同様であるので、以下では、主として第一記録部１０ａについて説明する。
【００４６】
第一感光体２０ａは、金属製の円筒状の導電性基材と、その外周面に形成され静電気を
保持するための樹脂製の感光層と、を有している。この第一感光体２０ａは、中心軸を中
心に回転可能であり、本実施の形態においては、図３中の矢印で示すように時計回りに回
転する。
【００４７】
第一帯電ユニット３０ａは、第一感光体２０ａを帯電させるためのものである。この第
一帯電ユニット３０ａは、第一帯電ローラー３２ａを有しており、本実施の形態において
は、当該第一帯電ローラー３２ａが、第一感光体２０ａを帯電させるようになっている。
【００４８】
第一露光ユニット４０ａは、レーザーを照射することによって、帯電された第一感光体
２０ａ上に、潜像を形成するためのものである。この第一露光ユニット４０ａは、半導体
レーザー、ポリゴンミラー、Ｆ−θレンズ等を有しており、パーソナルコンピューター、
ワードプロセッサ等の不図示のホストコンピューターから入力された画像信号に基づいて
、変調されたレーザーを帯電された第一感光体２０ａ上に照射する。なお、本実施の形態
においては、非電子ペーパー記録モードが実行される際には、４つの露光ユニット４０が
使用されるが、電子ペーパー記録モードが実行される際には、第一露光ユニット４０ａ、
第二露光ユニット４０ｂ、第三露光ユニット４０ｃは使用されず、第四露光ユニット４０
ｄのみが用いられる（その理由については、後述する）。
【００４９】
第一現像ユニット４２ａは、潜像を着色帯電トナー（本実施の形態においては、イエロ
ー（Ｙ）負帯電トナー）によりトナー像として可視化する（つまり、現像する）ためのも
のである。この第一現像ユニット４２ａは不図示の現像ローラー、トナー収容部等を備え
ており、トナー収容部から現像ローラーに供給された着色帯電トナーが、現像ローラー、
第一感光体２０ａ間に形成された電界により、第一感光体２０ａへ移動され、潜像が着色
帯電トナーにより可視化されることとなる。なお、電子ペーパー記録モードが実行される
際には、第一現像ユニット４２ａは（当該ユニットのみならず、第二現像ユニット４２ｂ
、第三現像ユニット４２ｃ、第四現像ユニット４２ｄも）、使用されない。
【００５０】
第一電界生成ユニット５０ａは、第一対向ローラー５２ａと第一電圧印加部５４ａ（図
４参照）とを備えている。
【００５１】
第一対向ローラー５２ａは、第一感光体２０ａと対向する回転可能なローラーである。
この第一対向ローラー５２ａは、電子ペーパー１００又は非電子ペーパー２００が第一感
光体２０ａと当該第一対向ローラー５２ａとの間に位置する際に、第一感光体２０ａと協
働して電子ペーパー１００又は非電子ペーパー２００を挟んで圧接させつつ（換言すれば
、第一感光体２０ａと第一対向ローラー５２ａとはニップ部にて電子ペーパー１００又は
非電子ペーパー２００を挟んで圧接している）、第一感光体２０ａの回転に伴ってその回
転方向とは反対方向に回転する。第一対向ローラー５２ａの、電子ペーパー１００又は非
電子ペーパー２００を介して第一感光体２０ａと接触する接触部分は、ゴム製である。
【００５２】
第一電圧印加部５４ａは、電子ペーパー１００又は非電子ペーパー２００が第一感光体
２０ａと第一対向ローラー５２ａとの間に位置する際に、第一対向ローラー５２ａに印加
電圧を印加することにより（すなわち、第一対向ローラー５２ａは、被電圧印加部として
の機能を有する）、前記間に電界を形成する。すなわち、第一電圧印加部５４ａは、電子
ペーパー１００又は非電子ペーパー２００の厚み方向に沿う電界を発生させる。
【００５３】
なお、第一電圧印加部５４ａは、目的に応じて、異なる大きさの印加電圧を印加する。
すなわち、後に詳述するように、非電子ペーパー記録モードが実行されるときには、トナ
ー像を感光体２０から非電子ペーパー２００へ転写させるために、前記印加電圧が印加さ
れ（前記電界が形成され）、電子ペーパー記録モードが実行されるときには、電子ペーパ
ー１００の着色帯電粒子を厚み方向に移動させるために、前記印加電圧が印加され（前記
電界が形成され）、双方のモードにおいて、第一電圧印加部５４ａは互いに異なる大きさ
の印加電圧を印加する。また、電子ペーパー記録モードが実行されるときに、電子ペーパ
ー１００への記録を行なう第四記録部１０ｄと記録を行なわない記録部１０（第一記録部
１０ａ、第二記録部１０ｂ、第三記録部１０ｃ）とでは、互いに異なる大きさの印加電圧
が電圧印加部５４により印加される。具体的に、どのような印加電圧を印加するかについ
ては、後に詳述する。
【００５４】
第一クリーニングユニット５８ａは、トナー像が第一感光体２０ａから非電子ペーパー
２００へ転写された後に第一感光体２０ａ上に残存するトナーを、掻き取って回収するた
めのものである。この第一クリーニングユニット５８ａは、上記機能を実現するために、
第一感光体２０ａの表面に当接するクリーニングブレード等を有している。
【００５５】
搬送ユニット６０は、電子ペーパー１００又は非電子ペーパー２００を搬送するための
ものである。この搬送ユニット６０は、電子ペーパー１００又は非電子ペーパー２００が
前記４つの記録部１０の各々の前記間（感光体２０と対向ローラー５２との間）を順に通
過するように、電子ペーパー１００又は非電子ペーパー２００を搬送する。つまり、電子
ペーパー１００又は非電子ペーパー２００は、搬送ユニット６０により搬送されて、第一
記録部１０ａ、第二記録部１０ｂ、第三記録部１０ｃ、第四記録部１０ｄの順に、前記間
を通過する（したがって、本実施の形態においては、第四記録部１０ｄが、複数の記録部
のうちの電子ペーパー１００が最も後に通過する最後記録部に相当する）。なお、上記機
能を実現するために、搬送ユニット６０は、不図示の給紙ローラー、複数の搬送ローラー
６６、不図示の排紙ローラー、これらを駆動する不図示のモーター等を備えている。
【００５６】
定着ユニット７０は、非電子ペーパー２００上に転写されたトナー像を加熱加圧して非
電子ペーパー２００に融着させて永久像（画像）とするためのものである。
【００５７】
コントローラー８０は、画像記録装置１の制御を行うための制御ユニット（制御部）で
ある。コントローラー８０は、インターフェイス部８１と、ＣＰＵ８２と、メモリー８３
と、ユニット制御回路８４と、を有する。
【００５８】
インターフェイス部８１は、外部装置である前記ホストコンピューターと画像記録装置
１との間でデータの送受信を行う。ＣＰＵ８２は、画像記録装置１全体の制御を行うため
の演算処理装置である。メモリー８３は、ＣＰＵ８２のプログラムを格納する領域や作業
領域等を確保するためのものであり、ＲＡＭ、ＥＥＰＲＯＭ等の記憶素子を有する。ＣＰ
Ｕ８２は、メモリー８３に格納されるプログラムに従って、ユニット制御回路８４を介し
て各ユニットを制御する。
【００５９】
＝＝＝画像記録装置１の動作例について＝＝＝
次に、画像記録装置１の動作例、すなわち、画像記録装置１が電子ペーパー１００又は
非電子ペーパー２００に画像を記録する際の動作例について、図２、図６Ａ及び図６Ｂを
用いて説明する。図６Ａ及び図６Ｂは、電子ペーパー記録モード実行時に、対向ローラー
５２に印加される印加電圧を示した図である。図６Ａは、第四対向ローラー５２ｄに印加
される印加電圧を示し、図６Ｂは、他の対向ローラー（第一対向ローラー５２ａ、第二対
向ローラー５２ｂ、第三対向ローラー５２ｃ）に印加される印加電圧を示した図である。
【００６０】
以下では、先ず、非電子ペーパー記録モードが実行される際の画像記録装置１の動作に
ついて説明し、これに引き続いて、電子ペーパー記録モードが実行される際の画像記録装
置１の動作について説明する。
【００６１】
なお、画像記録装置１の各種動作は、主としてコントローラー８０により実現される。
特に、本実施の形態においては、メモリー８３に格納されたプログラムをＣＰＵ８２が処
理することにより実現される。そして、このプログラムは、以下に説明する各種の動作を
行うためのコードから構成されている。
【００６２】
＜＜＜非電子ペーパー記録モード実行時の画像記録装置１の動作例について＞＞＞
ここでは、非電子ペーパー記録モード実行時の画像記録装置１の動作例について説明す
る。  
ホストコンピューターからの画像信号及び制御信号がインターフェイス部８１を介して
コントローラー８０に入力されると、ユニット制御回路８４の制御により、感光体２０、
現像ユニット４２の現像ローラーが回転する。
【００６３】
四つの記録部１０に設けられた感光体２０は、回転しながら、帯電位置において帯電ユ
ニット３０により、順次Ｖ１ボルト（本実施の形態においては、Ｖ１＝−５００ボルト）
に帯電される。
【００６４】
感光体２０の帯電された領域は、感光体２０の回転に伴って露光位置に至り、露光ユニ
ット４０によって、イエロー（Ｙ）、マゼンタ（Ｍ）、シアン（Ｃ）、ブラック（Ｋ）の
画像情報に応じた潜像が該領域に形成される。本実施の形態においては、該領域が画像部
に相当する部分であれば当該領域にレーザーが照射され、当該部分の電位がＶ１＝−５０
０ボルトからＶ２＝−５０ボルトとなる。この結果、Ｖ２＝−５０ボルトの画像部に相当
する部分とＶ１＝−５００ボルトの非画像部に相当する部分とが得られる。
【００６５】
感光体２０上に形成された潜像は、感光体２０の回転に伴って現像位置に至り、現像ユ
ニット４２によってトナー像として可視化される（現像される）。これにより、各々の感
光体２０上には、それぞれ、イエロー（Ｙ）、マゼンタ（Ｍ）、シアン（Ｃ）、ブラック
（Ｋ）の単色トナー像が形成される。なお、現像の際、現像ユニット４２の現像ローラー
には、印加電圧（本実施の形態においては、Ｖ３＝−２７５ボルト）が印加される。
【００６６】
感光体２０上に形成された各々の単色トナー像は、感光体２０の回転に伴って、対向ロ
ーラー５２と対向する対向位置に至る。一方で、非電子ペーパー２００が、搬送ユニット
６０により、感光体２０と対向ローラー５２との間に搬送され、該間に位置することとな
る。そして、非電子ペーパー２００が該間に位置する状態で、電圧印加部５４によって対
向ローラー５２に印加電圧が印加され、該間に非電子ペーパー２００の厚み方向に沿う電
界が形成される（本実施の形態においては、Ｖ４ａ＝２００ボルトの印加電圧が各々の対
向ローラー５２に印加され、該間に上向き（対向ローラー５２から感光体２０側へ向かう
向き）の電界がそれぞれ形成される）。そして、このことにより、各々の単色トナー像が
感光体２０から非電子ペーパー２００に順次重なり合うように転写され、非電子ペーパー
２００上にはフルカラートナー像が形成される。
【００６７】
フルカラートナー像が転写された非電子ペーパー２００は、定着ユニット７０へ繋がる
ルートを通り、定着ユニット７０内へ搬送される。非電子ペーパー２００に転写されたフ
ルカラートナー像は、定着ユニット７０によって加熱加圧されて非電子ペーパー２００に
融着され、永久像（画像）となる。そして、フルカラートナー像が融着された非電子ペー
パー２００は、排紙ローラーにより排紙される。
【００６８】
一方、感光体２０が前記対向位置を経過した後に（トナー像が感光体２０から非電子ペ
ーパー２００へ転写された後に）、クリーニングユニット５８（クリーニングブレード）
によって該感光体２０上に残存するトナーが掻き取られる。そして、このことにより、感
光体２０は、次の潜像を形成するための帯電に備えることとなる。
【００６９】
以上のように、本実施の形態に係る画像記録装置１（のコントローラー８０）は、現像
ユニット４２が潜像をトナー像として可視化し、かつ、電圧印加部５４が電界を感光体２
０と対向ローラー５２との間に形成して、トナー像を、感光体２０から、搬送ユニット６
０により搬送された非電子ペーパー２００へ転写させる動作を、複数の記録部１０の各々
に順次行なわせる。そして、このことにより、非電子ペーパー２００へカラー画像が形成
されることとなる。
【００７０】
＜＜＜電子ペーパー記録モード実行時の画像記録装置１の動作例について＞＞＞
次に、電子ペーパー記録モード実行時の画像記録装置１の動作例について説明する。  
ホストコンピューターからの画像信号及び制御信号がインターフェイス部８１を介して
コントローラー８０に入力されると、ユニット制御回路８４の制御により、感光体２０が
回転する。
【００７１】
なお、前述したとおり、電子ペーパー記録モードにおいては、非電子ペーパー記録モー
ドとは異なり、四つの記録部１０の全てが電子ペーパー１００への記録を行うわけではな
い。すなわち、第四記録部１０ｄ（すなわち、前記最後記録部）が電子ペーパー１００へ
の記録を行い、第一記録部１０ａ、第二記録部１０ｂ、第三記録部１０ｃ（すなわち、４
つの記録部１０のうちの当該最後記録部以外の記録部。以下、非最後記録部とも呼ぶ）は
電子ペーパー１００への記録は行なわない。そのため、非最後記録部の動作と最後記録部
の動作は大きく異なることとなり、以下の説明においても、これらの動作を分けて説明す
る（先ず、最後記録部について説明し、その後、非最後記録部について説明する）。
【００７２】
最後記録部（第四記録部１０ｄ）に設けられた第四感光体２０ｄは、回転しながら、帯
電位置において第四帯電ユニット３０ｄにより、順次Ｖ１ボルト（本実施の形態において
は、Ｖ１＝−５００ボルト）に帯電される。
【００７３】
第四感光体２０ｄの帯電された領域は、第四感光体２０ｄの回転に伴って露光位置に至
り、第四露光ユニット４０ｄによって、潜像が該領域に形成される。本実施の形態におい
ては、該領域が前記黒像部に相当する部分であれば当該領域にレーザーが照射され、当該
部分の電位がＶ１＝−５００ボルトからＶ２＝−５０ボルトとなる。この結果、Ｖ２＝−
５０ボルトの黒像部に相当する部分とＶ１＝−５００ボルトの前記白像部に相当する部分
とが得られる。
【００７４】
第四感光体２０ｄ上に形成された潜像は、第四感光体２０ｄの回転に伴って、第四対向
ローラー５２ｄと対向する対向位置に至る。一方で、電子ペーパー１００が、搬送ユニッ
ト６０により、第四感光体２０ｄと第四対向ローラー５２ｄとの間に搬送され、該間に位
置することとなる。そして、電子ペーパー１００が該間に位置する状態で、第四電圧印加
部５４ｄによって第四対向ローラー５２ｄに印加電圧が印加され、該間に電子ペーパー１
００の厚み方向に沿う電界が形成される。そして、このことにより、潜像に対応する画像
が電子ペーパー１００に表示される。
【００７５】
具体的には、第四電圧印加部５４ｄは、図６Ａに示すように、第四対向ローラー５２ｄ
に、前記白像部に相当する部分における電位及び前記黒像部に相当する部分における電位
のうち小さい方（本実施の形態においてはＶ１ボルト）よりも大きくて、大きい方（本実
施の形態においてはＶ２ボルト）よりも小さいＶ４ｂボルトの印加電圧（本実施の形態に
おいては、Ｖ１ボルトとＶ２ボルトの平均値であるＶ４ｂ＝−２７５ボルト）を印加する
。
【００７６】
前記黒像部に相当する部分が前記対向位置に位置する際に、当該印加が成されると、第
四感光体２０ｄ側（上側）がＶ２＝−５０ボルト、第四対向ローラー５２ｄ側（下側）が
Ｖ４ｂ＝−２７５ボルトとなるため、図２の左図に示したように、下向き（電子ペーパー
１００の上側絶縁層１４１から下側絶縁層１４２へ向かう向き）の電界が形成される。そ
して、当該電界の作用により、電子ペーパー１００内の負帯電黒色粒子が上側絶縁層１４
１（表示面１２１）側に、正帯電白色粒子が下側絶縁層１４２側に、それぞれ移動するた
め、電子ペーパー１００の前記間に位置する部位には、黒像が表示されることとなる（当
該部位が、黒像部となる）。一方、前記白像部に相当する部分が前記対向位置に位置する
際に、当該印加が成されると、第四感光体２０ｄ側（上側）がＶ１＝−５００ボルト、第
四対向ローラー５２ｄ側（下側）がＶ４ｂ＝−２７５ボルトとなるため、図２の右図に示
したように、上向き（電子ペーパー１００の下側絶縁層１４２から上側絶縁層１４１へ向
かう向き）の電界が形成される。そして、当該電界の作用により、電子ペーパー１００内
の正帯電白色粒子が上側絶縁層１４１（表示面１２１）側に、負帯電黒色粒子が下側絶縁
層１４２側に、それぞれ移動するため、電子ペーパー１００の前記間に位置する部位には
、白像が表示されることとなる（当該部位が、白像部となる）。
【００７７】
このように、本実施の形態においては、第四電圧印加部５４ｄが、第四対向ローラー５
２ｄに印加電圧を印加することにより、第四感光体２０ｄと第四対向ローラー５２ｄとの
間に厚み方向に沿う電界を発生させ、着色帯電粒子を厚み方向に移動させることにより電
子ペーパー１００に潜像に対応する画像を表示させる。すなわち、コントローラー８０は
、印加電圧の大きさを、黒像部に相当する部分における電位（Ｖ２ボルト）よりも小さく
て白像部に相当する部分における電位（Ｖ１ボルト）よりも大きい値であるＶ４ｂボルト
に制御して、第四電圧印加部５４ｄが、Ｖ４ｂボルトの印加電圧を印加する。そして、こ
のことにより、第四電圧印加部５４ｄは、第四感光体２０ｄの黒像部に相当する部分と第
四対向ローラー５２ｄとの間に発生する電界の方向及び当該電界による負帯電黒色粒子（
正帯電白色粒子）の移動方向と、第四感光体２０ｄの白像部に相当する部分と第四対向ロ
ーラー５２ｄとの間に発生する電界の方向及び当該電界による負帯電黒色粒子（正帯電白
色粒子）の移動方向と、を逆転させることにより、電子ペーパー１００に潜像に対応する
白黒の画像を表示させる。
【００７８】
次に、非最後記録部の動作について説明する。前述したとおり、電子ペーパー１００は
、最後記録部である第四記録部１０ｄに搬送された際に当該最後記録部により記録される
が、その前に、非最後記録部である第一記録部１０ａ、第二記録部１０ｂ、第三記録部１
０ｃを通過する。したがって、非最後記録部においては、電子ペーパー１００への記録は
行なわれない。しかしながら、非最後記録部は、作動しないわけではなく、以下の目的で
動作する。
【００７９】
すなわち、画像記録装置１においては、電子ペーパー記録モードと非電子ペーパー記録
モードとが選択的に実行されるが、非電子ペーパー記録モードでの画像記録装置１の動作
が終了した際に、感光体２０上にトナーが残存している可能性がある（トナーは、クリー
ニングユニット５８により掻き取られるが、それでも僅かな量のトナーが残っている可能
性はある）。そして、当該非電子ペーパー記録モードが終了した後に電子ペーパー記録モ
ードが実行されると、当該残存トナーが感光体２０から移動して電子ペーパー１００へ付
着してしまう問題が発生する可能性が（非常に少ない可能性であるが）ある。そこで、非
最後記録部は、このような問題を非最後記録部において確実に発生させない目的で、具体
的には以下のように動作する。
【００８０】
非最後記録部（第一記録部１０ａ、第二記録部１０ｂ、第三記録部１０ｃ）に設けられ
た感光体２０は、回転しながら、帯電位置において帯電ユニット３０により、順次Ｖ１ボ
ルト（本実施の形態においては、Ｖ１＝−５００ボルト）に帯電される。
【００８１】
感光体２０の帯電された領域は、感光体２０の回転に伴って露光位置に至るが、最後記
録部とは異なり、露光動作は行なわれず潜像は形成されない。
【００８２】
感光体２０上のＶ１に帯電された帯電部分は、感光体２０の回転に伴って、対向ローラ
ー５２と対向する対向位置に至る。一方で、電子ペーパー１００が、搬送ユニット６０に
より、感光体２０と対向ローラー５２との間に搬送され、該間に位置することとなる。そ
して、電子ペーパー１００が該間に位置する状態で、電圧印加部５４によって対向ローラ
ー５２に印加電圧が印加され、該間に電子ペーパー１００の厚み方向に沿う電界が形成さ
れる。
【００８３】
具体的には、電圧印加部５４は、図６Ｂに示すように、対向ローラー５２に、前記帯電
部分における電位よりも小さいＶ４ｃボルトの印加電圧（本実施の形態においては、Ｖ４
ｃ＝−６００ボルト）を印加する。当該印加が成されると、感光体２０側（上側）がＶ１
＝−５００ボルト、対向ローラー５２側（下側）がＶ４ｃ＝−６００ボルトとなるため、
下向き（電子ペーパー１００の感光体２０から対向ローラー５２へ向かう向き）の電界が
形成される。そして、この電界は、感光体２０に付着した着色負帯電トナー（具体的には
、イエロー（Ｙ）負帯電トナー、マゼンタ（Ｍ）負帯電トナー、シアン（Ｃ）負帯電トナ
ー）を感光体２０に留まらせる電界方向を有することとなるため、残存トナーが感光体２
０から移動して電子ペーパー１００へ付着してしまう現象の発生が適切に抑止される。
【００８４】
記録部を通過し終えた電子ペーパー１００は、定着ユニット７０へ繋がるルートとは異
なるルートを通り、定着ユニット７０を通過することなく排紙ローラーにより排紙される
。
【００８５】
以上のように、本実施の形態に係る画像記録装置１（のコントローラー８０）は、第四
電圧印加部５４ｄが電界を第四感光体２０ｄと第四対向ローラー５２ｄとの間に形成して
、搬送ユニット６０により搬送された電子ペーパー１００の着色帯電粒子を前記厚み方向
に移動させる動作を、最後記録部（第四記録部１０ｄ）に行なわせる。そして、このこと
により、電子ペーパー１００に潜像に対応する画像が表示されることとなる。また、画像
記録装置１（のコントローラー８０）は、感光体２０に付着した着色帯電トナーを感光体
２０に留まらせる電界方向を有する電界を電圧印加部５４が感光体２０と対向ローラー５
２との間に形成する動作を、非最後記録部に行わせる。そして、このことにより、残存ト
ナーが感光体２０から移動して電子ペーパー１００へ付着してしまう現象の発生が適切に
抑止されることとなる。
【００８６】
＝＝＝本実施の形態に係る画像記録装置１の有効性について＝＝＝
上述したとおり、本実施の形態に係る画像記録装置１（のコントローラー８０）は、電
圧印加部５４が電界を感光体２０と対向ローラー５２との間に形成して、搬送ユニット６
０により搬送された電子ペーパー１００の着色帯電粒子を前記厚み方向に移動させる動作
を、最後記録部（本実施の形態においては、第四記録部１０ｄ）に行なわせることにより
、潜像に対応する画像を電子ペーパー１００に表示させる電子ペーパーへの画像記録処理
を実行する。すなわち、電子ペーパー記録モードにおける電子ペーパー１００への記録を
（非最後記録部ではなく）最後記録部が行なう。そして、このことにより、電子ペーパー
１００に記録される画像の画質を向上させることが可能となる。
【００８７】
上記につき、本実施の形態に係る画像記録装置１と比較例に係る画像記録装置１とを比
較しながら説明する。比較例に係る画像記録装置１は、電子ペーパー記録モードにおける
電子ペーパー１００への記録を非最後記録部が行なう画像記録装置である。
【００８８】
比較例に係る画像記録装置１においては、非最後記録部が電子ペーパー１００への記録
を行なうため、画像の記録が完了した電子ペーパー１００が、当該非最後記録部以降の他
の記録部（例えば、当該非最後記録部が第一記録部１０ａであれば、第二記録部１０ｂ、
第三記録部１０ｃ、第四記録部１０ｄ）を通過することとなる（具体的には、他の記録部
における感光体２０と対向ローラー５２との間を通過する）。そして、画像の記録が完了
し画像が表示されている電子ペーパー１００が、他の記録部における当該間を通過すると
、当該間に発生している電界の影響を受けて、画像が顕著に変化してしまう可能性が（非
常に少ない可能性であるが）ある。つまり、比較例に係る画像記録装置１が、感光体２０
に付着した着色帯電トナーを感光体２０に留まらせる電界方向を有する電界を、当該他の
記録部において発生させる画像記録装置であれば、この電界が画像を変化させる可能性が
ある。また、比較例に係る画像記録装置１が、このような電界を発生させない画像記録装
置であったとしても、当該電子ペーパー記録モードの直前に非電子ペーパー記録モードが
実行されていた場合等には、当該非電子ペーパー記録モード実行時に当該間に発生してい
た電界の残留分が画像を変化させる可能性がある。したがって、比較例に係る画像記録装
置１においては、非最後記録部において電子ペーパー１００に画像が適切に記録されるも
のの、画像記録装置１から排出された電子ペーパー１００に記録されている画像の画質は
良好でない場合があった。
【００８９】
これに対し、本実施の形態に係る画像記録装置１においては、最後記録部が電子ペーパ
ー１００への記録を行なうため、画像の記録が完了した電子ペーパー１００が、その後記
録部を通過することはない。したがって、前述した問題、すなわち、他の記録部を電子ペ
ーパー１００が通過する際に画像が変化する問題が回避されることとなる。したがって、
本実施の形態によれば、電子ペーパー１００に記録される画像の画質を向上させることが
可能となる。
【００９０】
＝＝＝その他の実施の形態＝＝＝
上記の実施の形態は、主として画像記録装置について記載されているが、画像記録方法
等の開示も含まれている。また、上記の実施形態は、本発明の理解を容易にするためのも
のであり、本発明を限定して解釈するためのものではない。本発明は、その趣旨を逸脱す
ることなく、変更、改良され得ると共に、本発明にはその等価物が含まれることは言うま
でもない。特に、以下に述べる実施形態であっても、本発明に含まれるものである。
【００９１】
また、上記実施の形態においては、着色帯電粒子として正帯電白色粒子と負帯電黒色粒
子を例に挙げて説明したが、これに限定されるものではない。
【００９２】
例えば、白色粒子が負帯電であり、黒色粒子が正帯電であってもよい。また、色につい
ては、白色、黒色に限定されるものではなく、双方の色が異なっていればどのような色で
あってもよい。例えば、赤色、青色、緑色などの有彩色や、金色、銀色等の金属光沢色か
ら目的に合わせて適宜選択することができる。また、二色の粒子のうちの片方のみが帯電
していて他方が帯電していない（無帯電である）場合（例えば、白色粒子が無帯電である
ため、着色帯電粒子としては負帯電黒色粒子のみが存在する場合）であってもよく、この
ような場合にも本発明を適用できる。
【００９３】
また、上記実施の形態においては、電子ペーパー１００の上側絶縁層１４１が光透過性
を有する（実質的に透明である）一方で、下側絶縁層１４２は光透過性を有さない（実質
的に不透明である）こととしたが、これに限定されるものではない。例えば、上側絶縁層
１４１と下側絶縁層１４２の双方が光透過性を有する（実質的に透明である）こととして
もよく、この場合には、上側絶縁層１４１と下側絶縁層１４２のいずれをも表示面１２１
とすることが可能となる。
【００９４】
また、上記実施の形態においては、印加電圧が直流印加電圧であることとしたが、これ
に限定されるものではなく、印加電圧は、交流印加電圧であることとしてもよい。なお、
本明細書において、印加電圧の値とは、当該印加電圧が交流印加電圧である場合には、交
流印加電圧の平均値を意味するものとする。
【００９５】
また、上記実施の形態に係るコントローラー８０は、電子ペーパー１００への画像記録
処理を実行する際に、感光体２０に付着した前記着色帯電トナーを感光体２０に留まらせ
る電界方向を有する前記電界を電圧印加部５４が感光体２０と対向ローラー５２との間に
形成する動作を、複数の（４つの）記録部１０のうちの最後記録部以外の記録部に行なわ
せることとしたが、これに限定されるものではなく、かかる動作を行なわせないこととし
てもよい。
【００９６】
ただし、前述したとおり、残存トナーが感光体２０から移動して電子ペーパー１００へ
付着してしまう現象の発生が適切に抑止され、電子ペーパー１００に記録される画像の画
質をより一層向上させることが可能となる点で、上記実施の形態の方がより望ましい。
【００９７】
また、上記実施の形態においては、非電子ペーパー２００への画像記録処理は、黒色ト
ナー像を非電子ペーパー２００へ転写させる動作を最後記録部に行なわせ、他色トナー像
を非電子ペーパー２００へ転写させる動作を前記最後記録部以外の記録部に行なわせるこ
とにより、カラー画像を形成する処理であり、電子ペーパー１００への画像記録処理は、
前記潜像に対応する白黒画像を電子ペーパー１００に表示させる処理であることとした。
すなわち、電子ペーパー記録モードにおいて黒色の像を記録する記録部を、非電子ペーパ
ー記録モードにおいて黒色の像を記録する記録部（上記実施の形態においては、最後記録
部である第四記録部１０ｄ）としたが、これに限定されるものではない。例えば、電子ペ
ーパー記録モードにおいて黒色の像を記録する記録部を、非電子ペーパー記録モードにお
いて黒色以外の色の像を記録する記録部としてもよい（変形例）。
【００９８】
上記実施の形態のように、電子ペーパー記録モードにおいて黒色の像を記録する記録部
を、非電子ペーパー記録モードにおいて黒色の像を記録する記録部とすれば、感光体２０
に付着した着色帯電トナーを感光体２０に留まらせる電界方向を有する前記電界の形成に
より、黒色以外の色（イエロー（Ｙ）、マゼンタ（Ｍ）、シアン（Ｃ））の残存トナーの
電子ペーパー１００への付着が抑止されることとなる（ブラック（Ｋ）の残存トナーの付
着は抑止されない）。一方、変形例のように、電子ペーパー記録モードにおいて黒色の像
を記録する記録部を、非電子ペーパー記録モードにおいて黒色以外の色（例えば、シアン
（Ｃ））の像を記録する記録部とする場合には、前記電界の形成により、イエロー（Ｙ）
、マゼンタ（Ｍ）、ブラック（Ｋ）の残存トナーの電子ペーパー１００への付着が抑止さ
れるものの、シアン（Ｃ）の残存トナーの付着は抑止されないこととなる。
【００９９】
そして、白黒画像を表示する電子ペーパー１００に黒色トナーが付着する場合と黒色以
外のトナー（イエロー（Ｙ）、マゼンタ（Ｍ）、シアン（Ｃ）のトナー）が付着する場合
とを比較したときには、後者の場合の方が前者の場合よりも目立つこととなるため、上記
実施の形態に係る画像記録装置１の方が、変形例に係る画像記録装置１よりも、良好な画
質の画像が得られることとなる。したがって、電子ペーパー１００に記録される画像の画
質をより一層向上させることが可能となる点で、上記実施の形態の方がより望ましい。
【符号の説明】
【０１００】
１  画像記録装置、１０  記録部、１０ａ  第一記録部、１０ｂ  第二記録部、１０ｃ  
第三記録部、１０ｄ  第四記録部、２０  感光体、２０ａ  第一感光体、２０ｂ  第二感
光体、２０ｃ  第三感光体、２０ｄ  第四感光体、３０  帯電ユニット、３０ａ  第一帯
電ユニット、３０ｂ  第二帯電ユニット、３０ｃ  第三帯電ユニット、３０ｄ  第四帯電
ユニット、３２  帯電ローラー、３２ａ  第一帯電ローラー、３２ｂ  第二帯電ローラー
、３２ｃ  第三帯電ローラー、３２ｄ  第四帯電ローラー、４０  露光ユニット、４０ａ
第一露光ユニット、４０ｂ  第二露光ユニット、４０ｃ  第三露光ユニット、４０ｄ  
第四露光ユニット、４２  現像ユニット、４２ａ  第一現像ユニット、４２ｂ  第二現像
ユニット、４２ｃ  第三現像ユニット、４２ｄ  第四現像ユニット、５０  電界生成ユニ
ット、５０ａ  第一電界生成ユニット、５０ｂ  第二電界生成ユニット、５０ｃ  第三電
界生成ユニット、５０ｄ  第四電界生成ユニット、５２  対向ローラー、５２ａ  第一対
向ローラー、５２ｂ  第二対向ローラー、５２ｃ  第三対向ローラー、５２ｄ  第四対向
ローラー、５４  電圧印加部、５４ａ  第一電圧印加部、５４ｂ  第二電圧印加部、５４
ｃ  第三電圧印加部、５４ｄ  第四電圧印加部、５８  クリーニングユニット、５８ａ  
第一クリーニングユニット、５８ｂ  第二クリーニングユニット、５８ｃ  第三クリーニ
ングユニット、５８ｄ  第四クリーニングユニット、６０  搬送ユニット、６６  搬送ロ
ーラー、７０  定着ユニット、８０  コントローラー、８１  インターフェイス部、８２
ＣＰＵ、８３  メモリー、８４  ユニット制御回路、１００  電子ペーパー、１０３  
表示層、１０７  封止部、１２１  表示面、１２３  裏側面、１３１  マイクロカプセル
、１３２  バインダ、１３３  カプセル本体、１４１  上側絶縁層、１４２  下側絶縁層
、２００  非電子ペーパー
【図１】
2012018294.tif 000003
【図２】
2012018294.tif 000004
【図３】
2012018294.tif 000005
【図４】
2012018294.tif 000006
【図５】
2012018294.tif 000007
【図６】
2012018294.tif 000008